(57)【要約】　　　（修正有）【課題】電子機器の二つの構造体を、ボス要素を必要とせずにお互いに締結できる締結ユニットを提供する。【解決手段】機器の第一・第二構造体１１００、１２００をしっかりと締結するために用いる締結ユニットを、定着ブロック１５００、インサートプレート１４００、ねじ１３００で構成する。第一構造体には穴１１１０を設ける。第二の構造体に固定配置している定着ブロックに二つの平行な保持フランジ１５１０と二つの平行な突出リブ１５２０を設け、さらに保持フランジに切り欠き部１５１０１を設ける。突出リブは二つの保持フランジに対しその両側でほぼ直角に延伸する。インサートプレートは保持フランジ間に保持され、ねじ穴１４１０と一対の鉤状クランプ部１４２０を有し、それぞれが突出リブに固く係合している。ねじは、第一構造体の穴を通って延伸し、インサートプレートのねじ穴に噛み合っており、機器の第一・第二構造体を互いに固く締結する。【選択図】　図２
0003097478.tif 000002
【実用新案登録請求の範囲】
【請求項１】
第一の構造体が少なくとも一つの穴を備えており、機器の第一と第二の構造体をお互いに締結するために適用される締結ユニットにおいて、
第二の構造体に固設された定着ブロックであって、該定着ブロックは上下の保持フランジと二つの突出リブを有し、上下の保持フランジは互いに平行で保持フランジ相互間に挿入スペースを形成し、上部の保持フランジは切り欠き部を有し、二つの突出リブは互いにほぼ平行であり、かつ、上下の保持フランジの両側において保持フランジに対してほぼ直角に延伸している定着ブロックと、
ほぼ平板状に形成されて上下保持フランジ間の挿入スペースに固定的に支持されたインサートプレートであって、該インサートプレートはねじ穴と一対の鉤状クランプ部を有し、ねじ穴は上部保持フランジの切り欠き部および少なくとも第一の構造体の穴と対応しており、各鉤状クランプ部が一つの突出リブに固く係合してインサートプレートを定着ブロックに締結するインサートプレートと、
少なくとも第一構造体の穴および上部保持フランジの切り欠き部を通って延伸し、第二構造体のねじ穴に螺合し、第一と第二の構造体を一緒に固く締結するねじを有することを特徴とする締結ユニット。
【考案の詳細な説明】
【０００１】
【考案が属する技術分野】
関連申請のクロス参照
この申請は、２００２年５月１５日申請の台湾申請番号９１２０６９２１の優先利益を主張する。
【０００２】
本考案は概略的にいって締結ユニットに関するものであり、更にいえば二つの構造体を固定して締結するために、小さな外形形状の範囲で配置することができる締結ユニットに関するものである。
【従来技術とその課題】
情報にアクセスし処理することの要求が増加するに従い、特に情報関連機器がポピュラーになっている。“情報関連機器”は、遠距離通信および／またはインターネットへのアクセス機能を備えた電子機器を広く包含する。
【０００３】
情報関連機器の代表はパーソナル・デジタル・アシスタント（ＰＤＡ）である。一般的にＰＤＡは、スケジューラ、イベントの記録、遠距離通信、電子電話帳などの機能を有している。
【０００４】
図１に示すように、ＰＤＡの二つのプラスチック構造体１００、２００、即ちＰＤＡの上部と下部のカバーを一緒にしっかりと締結するために、従来の締結方法では、プラスチック構造体２００の一つに超音波溶接でボス２１０内に確実に合わせたねじ付きインサートナット４００を用いる。インサートナット４００は、ボス２１０への締結効果を高めるために、外側に溝を形成している。二つのプラスチック構造体１００、２００は、プラスチック構造体１００の穴１１０を通って延伸しインサートナット４００とねじで噛み合うねじ３００により、お互いがしっかりと装着されている。
【０００５】
上記した従来の装着方法では、ボス２１０の必要最小高さを満足する条件でのみ、ボス２１０内にあるインサートナット４００の締結が効果的になされる。高さが不十分の場合、インサートナット４００はボス２１０内にしっかりと装着できず、ねじ３００とインサートナット４００がお互いに確実に噛み合うことができず、プラスチック構造体１００、２００をお互いに確実に締結できないという結果を招く。
【０００６】
小さくする技術が進歩するに従いＰＤＡのサイズが小さくなるので、締結方法の配置のために小さい外形形状が求められる。それ故に、上記した従来の締結方法で更にサイズを小さくすることは難しい。
【課題を解決するための手段】
【０００７】
本考案の目的は、電子機器（例えばＰＤＡ）の二つの構造体（例えば、上部と下部のカバー）を、ボス要素を必要とせずにお互いに締結できる締結ユニットを提供することであり、それにより締結で必要な組み付け高さを減らし、電子機器をコンパクトなデザインにすることを可能にする。
【０００８】
上記の目的を達成するために、本考案は、電子機器の第一と第二の構造体を一緒にしっかりと締結するために使用する締結ユニットを提供する。電子機器は低い外形形状を有している。第一の構造体には穴を設けている。締結ユニットは定着ブロック、インサートプレート、ねじで構成している。第二の構造体に固定配置した定着ブロックは、上下にあり平行で水平方向に延伸する保持フランジと、二つの平行で竪方向に延伸する突出リブを有している。更に、上部の保持フランジには切り欠き部がある。突出リブは保持フランジに対しほぼ直角に、その両側で延伸している。ほぼ平坦な板の形をしたインサートプレートは保持フランジの間にしっかりと保持され、更にねじ穴と鉤状のクランプ部を備えている。ねじ穴の位置は上部の保持フランジの切り欠き部に対応し、鉤状クランプ部のそれぞれが突出リブの一つを掴んで、インサートプレートを定着ブロックと締結する。ねじは第一の構造体の穴と上部の保持フランジの切り欠き部を通って延伸し、インサートプレートのねじ穴に螺合し、それにより第一と第二の構造体をお互いに確実に締結する。
【０００９】
上記の目的や他の目的により、インサートプレートの定着ブロックへの装着は、超音波溶接、接着、あるいはインサートモールディングなど色々の手段によれば更に確実になる。
【００１０】
前記の普遍的な記述と以下の詳細な記述は例示的なものであり、クレームで本考案の更なる説明を提供しようとしていることを理解すべきである。
【考案の実施の形態】
【００１１】
本考案の実施例についての添付図に関する以下の詳細な記述は例示的なもののみであって制限されるものではない。以下の記述と添付図において可能な限り、特に記述しなければ同じ要素や部品を同じ番号や記号で示している。
【００１２】
図２では、本考案の実施例による締結ユニットを概略的に遠視図で示している。図示しているように、本考案の締結ユニットは、ＰＤＡのような電子機器の、例えばプラスチック上下カバーのような二つの構造体１１００、１２００を一緒にしっかりと締結するようになっている。締結ユニットは、定着ブロック１５００、例えば金属をベースにした材料でできたインサートプレート１４００およびねじ１３００で構成している。
【００１３】
定着ブロック１５００は、お互いにほぼ平行で水平方向に延伸する上下の保持フランジ１５１０、１５１２と二つの突出リブ１５２０を有している。ほぼＵ字形状をした上部保持フランジ１５１０には中央に切り欠き部１５１０１を設けている。ほぼ半円筒形でお互いに平行なリブ１５２０は保持フランジ１５１０、１５１２に対してほぼ直角であり、さらに保持フランジ１５１０、１５１２の両側に対称的に延伸している。定着ブロック１５００は、例えばプラスチック構造体１２００と一体化した単一体であってもよい。
【００１４】
図３において、上部からの二次元図が締結ユニットのインサートプレート１４００を概略的に例示している。図示しているように、インサートプレート１４００はほぼ平坦な板で、その中央部にねじ穴１４１０を形成している。インサートプレート１４００の両側は、対称的に曲がった形に延伸し、それぞれが鉤状のクランプ部１４２０を形成している。
【００１５】
インサートプレート１４００が保持フランジ１５１０、１５１２の間にしっかりと保持される時、インサートプレート１４００のねじ穴１４１０の位置は上部保持フランジ１５１０の切り欠き部１５１０１およびプラスチック構造体１１００の貫通穴１１１０と対応している。図４に示すように、鉤状クランプ部１４２０のそれぞれが突出リブ１５２０を強く固定し、適切な位置決めおよびインサートプレート１４００の定着ブロック１５００への固い締結を確実にする。
【００１６】
ねじ１３００は、プラスチック構造体１１００の貫通穴１１１０と上部保持フランジ１５１０の切り欠き部１５１０１を通って延伸するような位置にあり、インサートプレート１４００のねじ穴１４１０と螺合して、それにより構造体１１００、１２００をお互いにしっかりと締結する。設計的な要求により、プラスチック構造体１１００、１２００を適切に締結するため、上述した締結ユニットが複数の場所で幾つも設けられることも容易に分かる。
【００１７】
鉤状クランプ部１４２０とリブ１５２０の間でのクランプの他に、定着ブロック１５００へのインサートプレート１４００の装着は、超音波溶接、接着、あるいはインサートモールディングのような公知の色々な手段により更に確実にしてもよい。
【考案の効果】
【００１８】
上記したように、本考案の締結ユニットには少なくとも以下のような長所がある。
本考案の定着ブロックとインサートプレートの大きさと形状は、機器の構造体を締結ために使える組み付け高さに合わせて適応させることができる。結果として、装置の外形形状を小さくすることと、適切な締結を確保するために最小高さを必要とするという従来の矛盾が、本考案の締結ユニットにより解決される。
【００１９】
さらに、定着ブロックへのインサートプレートの装着は、クランプ、熱または超音波による溶接、接着、インサートモールディングなどの別の手段で更に確実にすることもあり、それにより更なるフレキシビリティを提供する。
【００２０】
さらに、定着ブロックとインサートプレートの構造がここでの記述に制限されず、上記で実現している本考案の創意コンセプトから離れることなく色々に修正されることもある。従って、実施例についての上記の記述は本考案の実施遂行についての一定の方法を例示しているに過ぎず、実用新案登録請求範囲で定義する本考案の創意コンセプトの範囲に入る限り、結果としてその変形体や修正をもカバーするものである。
【００２１】
添付の図面は本考案を更に理解し易くするためのものであり、この仕様に組み込まれ一部を構成している。図面は本考案の実施例であり、記述と共に本考案の原理を説明するために使っている。
【図面の簡単な説明】
【図１】二つのプラスチック構造体での従来の締結方法を概略的に示す斜視図である。
【図２】本考案の実施例による二つのプラスチック構造体での締結方法を示す概略斜視図であ　る。
【図３】本考案の実施例による締結方法のインサートプレートの上部平面図である。
【図４】本考案に従う締結方法において、噛み合わせブロックとインサートプレートの組合せ　状況を概略的に示す平面図である。
【符号の説明】
１００　　　　　プラスチック構造体
１１０　　　　　穴
２００　　　　　プラスチック構造体
２１０　　　　　ボス
４００　　　　　インサートナット
１１００　　　　プラスチック構造体（第一の構造体）
１１１０　　　　貫通穴
１２００　　　　プラスチック構造体（第二の構造体）
１３００　　　　ねじ
１４００　　　　インサートプレート
１４１０　　　　穴
１４２０　　　　鉤状クランプ部
１５００　　　　定着ブロック
１５１０　　　　上部保持フランジ
１５１２　　　　下部保持フランジ
１５２０　　　　突出リブ
１５１０１　　　切り欠き部
【図１】
0003097478.tif 000003
【図２】
0003097478.tif 000004
【図３】
0003097478.tif 000005
【図４】
0003097478.tif 000006